(57)【特許請求の範囲】
【請求項１】
外フィルム部（１）と内フィルム部（２）との間の収容部（３）に握り飯に巻くシート状食品（４）を収容したおにぎり用包装材（Ａ）を、短尺方向の折り目を付けることにより正面側部（Ａ１）、底部（Ａ２）、及び背面側部（Ａ３）を形成するとともに、長尺方向の折り目を付けることにより左右側部（Ａ４）（Ａ５）を形成して上方に開口した四角形の箱状とし、順次別の箱状にしたおにぎり用包装材（Ａ）に収容することにより、複数のおにぎり用包装材（Ａ）を嵩低く積層したことを特徴とするおにぎり用包装材の積層体。
【請求項２】
おにぎり用包装材（Ａ）が、握り飯を包装した状態で外フィルム部（１）を引き裂いてその左右各部分が分離するように引っ張ると、内フィルム部（２）も左右各片（２ａ）（２ｂ）に分離して、握り飯にシート状食品（４）が付着した状態で開封されるようにしたものである請求項１記載のおにぎり用包装材の積層体。
【請求項３】
おにぎり用包装材（Ａ）が、左右の長尺方向のシール部（５ａ）〜（５ｄ）により中央の収容部（３）と左右側部（Ａ４）（Ａ５）となる領域とに区画されており、中央の収容部（３）に正面側部（Ａ１）、底部（Ａ２）、及び背面側部（Ａ３）を形成するための平行な２本の短尺方向の折り目が付けられ、さらに、左右側部（Ａ４）（Ａ５）の前記各折り目の延長線上に切れ目（８ａ）〜（８ｄ）が形成されている請求項２記載のおにぎり用包装材の積層体。
【発明の詳細な説明】
【技術分野】
【０００１】
この発明は、にぎり飯に海苔等のシート状食品を開封時に巻いて食するようにしたおにぎりを包装するためのおにぎり用包装材に関するものである。
【背景技術】
【０００２】
スーパーマーケットやコンビニエンスストア等で販売されているおにぎりの包装材としては、特許文献１に記載のものがある。この包装材で握り飯を包装したものは、外フィルムを引き裂いてその左右各部分が分離するように引っ張ると、内フィルムも左右各片に分離して、握り飯にシート状食品が巻かれた状態で開封されるようになっており、開封直前までシート状食品が握り飯に接触しないため、パリパリとした食感を楽しむことができる。しかも、包装時、収容される握り飯に比べて大きな四角形状となり、三角形の握り飯の形状に沿わせるようにしたものに比べて高級感がある。
【０００３】
しかし、握り飯を包装していない状態の四角形の箱状の包装材は、嵩張るため保管や輸送に適したものではなく、また、シート状食品が割れやすいものであった。
【先行技術文献】
【特許文献】
【０００４】
【特許文献１】特開２００４−３３１１８０号公報
【発明の概要】
【発明が解決しようとする課題】
【０００５】
そこで、この発明は、おにぎり用包装材に関し、保管や輸送に適しており、また、シート状食品が割れにくくなるようにしたものを提供することを課題とする。
【課題を解決するための手段】
【０００６】
前記課題を解決するため、この発明は次のような技術的手段を講じている。
【０００７】
この発明のおにぎり用包装材の積層体は、外フィルム部１と内フィルム部２との間の収容部３に握り飯に巻くシート状食品４を収容したおにぎり用包装材Ａを、短尺方向の折り目を付けることにより正面側部Ａ１、底部Ａ２、及び背面側部Ａ３を形成するとともに、長尺方向の折り目を付けることにより左右側部Ａ４，Ａ５を形成して上方に開口した四角形の箱状とし、順次別の箱状にしたおにぎり用包装材Ａに収容することにより、複数のおにぎり用包装材Ａを嵩低く積層したものとしている。
【０００８】
おにぎり用包装材Ａは、握り飯を包装した状態で外フィルム部１を引き裂いてその左右各部分が分離するように引っ張ると、内フィルム部２も左右各片２ａ，２ｂに分離して、握り飯にシート状食品４が付着した状態で開封されるようにしたものとすることができる。
【０００９】
また、おにぎり用包装材Ａが、左右の長尺方向のシール部５ａ〜５ｄにより中央の収容部３と左右側部Ａ４，Ａ５となる領域とに区画されており、中央の収容部３に正面側部Ａ１、底部Ａ２、及び背面側部Ａ３を形成するための平行な２本の短尺方向の折り目が付けられ、さらに、左右側部Ａ４，Ａ５の前記各折り目の延長線上に切れ目８ａ〜８ｄが形成されているものとすることができる。
【発明の効果】
【００１０】
この発明のおにぎり用包装材の積層体は、上述のような構成を有しており、開口した四角形の箱状としたおにぎり用包装材Ａが嵩低く積層されているので、保管や輸送に適しており、またシート状食品が割れにくくなっている。
【図面の簡単な説明】
【００１１】
【図１】おにぎり用包装材の外側面の正面図である。
【図２】おにぎり用包装材の内側面の正面図である。
【図３】おにぎり用包装材を箱状にするための型材の斜視図である。
【図４】おにぎり用包装材を箱状にした状態の説明図である。
【図５】おにぎり用包装材の積層体の縦断面を模式的に示す説明図である。
【図６】おにぎり包装体の斜視図である。
【発明を実施するための形態】
【００１２】
以下、この発明の好適な実施形態を、図面を参照して説明する。
【００１３】
このおにぎり用包装材の積層体は、外フィルム部１と内フィルム部２との間の収容部３に握り飯に巻くシート状食品４を収容したおにぎり用包装材Ａを、短尺方向の折り目を付けることにより正面側部Ａ１、底部Ａ２、及び背面側部Ａ３を形成するとともに、長尺方向の折り目を付けることにより左右側部Ａ４，Ａ５を形成して上方に開口した四角形の箱状とし、順次別の箱状にしたおにぎり用包装材Ａに収容することにより、複数のおにぎり用包装材Ａを嵩低く積層したものとしている。
【００１４】
積層体を構成する各おにぎり用包装材Ａは、握り飯を包装した状態で外フィルム部１を引き裂いてその左右各部分が分離するように引っ張ると、内フィルム部２も左右各片２ａ，２ｂに分離して、握り飯にシート状食品４が付着した状態で開封されるようになっている。
【００１５】
外フィルム部１は１枚のフィルムで構成され、内フィルム部２は左片２ａと右片２ｂの２枚のフィルムで構成されている。外フィルム部１と内フィルム部２は同じ大きさの略長方形状であり、互いの周縁付近（図１、図２においてクロスハッチで示した箇所）がヒートシール等により接合されたシール部５ａ〜５ｈとなっている。
【００１６】
外フィルム部１は、ＯＰＰ（二軸延伸ポリプロピレン）等の合成樹脂製の透明な１枚のフィルムとし、適宜の文字や模様の印刷を施したものとすることができる。図１に示したように、外フィルム部１には、左右方向中央部に外フィルム部１の互いに対向する短辺間にわたってカットテープ６を貼着しており、このカットテープ６に案内されて引き裂くことができるようになっている。なお、外フィルム部１は、カットテープ６を設ける代わりに、縦方向（長尺方向）に引裂方向性を有するフィルムで構成してもよい。
【００１７】
外フィルム部１の１組の互いに対向する辺（短辺）の各中央部には、カットテープ６の外側に、２つの切込みを設けることにより、開封操作片７が形成されている。この食品包装材は、前記のいずれかの短辺の側の開封操作片７を引っ張ることにより、その対向する短辺に至るまで外フィルム部１の左右方向中央部が帯状に引き裂かれ、外フィルム部１を分割できるようになっている。
【００１８】
内フィルム部２は、外フィルム部１に対して剥離可能に接着させられる左片２ａと右片２ｂの２枚のフィルムにより構成される。内フィルム部２の左片２ａと右片２ｂは、それぞれ長辺が外フィルム部１の長辺と同じ長さで、短辺が外フィルム部１の短辺の半分より長くなっており、図２に示したように、中央でそれぞれの自由端部が重なるようにしている。
【００１９】
外フィルム部１と内フィルム部２との間には、外周縁部の内側にシールされていない領域があり、この部分がシート状食品４を収容する収容部３となっている。シート状食品４は、海苔や、ゼラチンでシート状に形成された鰹節や昆布等であり、適宜選択使用される。シート状食品４の収容部３への収容作業は、手作業で行う方法、機械で自動的に挿入する方法のいずれで行ってもよい。
【００２０】
また、この実施形態において、各おにぎり用包装材Ａは、左右の長尺方向のシール部５ａ，５ｂと５ｃ，５ｄにより中央の収容部３と左右側部Ａ４，Ａ５となる領域とに区画されており、この左右側部Ａ４，Ａ５となる領域において、長尺方向の中央付近には、それぞれ２本の短尺方向の切れ目８ａ〜８ｄが形成されている。この切れ目８ａ〜８ｄは、後述の箱状に形成する際に付けられる、正面側部Ａ１、底部Ａ２、及び背面側部Ａ３を形成するための平行な２本の短尺方向の折り目の延長線上に位置する。
【００２１】
左右の長尺方向の各２本のシール部５ａ，５ｂと５ｃ，５ｄは、それぞれ平行に設けられており、シール部５ａ，５ｂ間と５ｃ，５ｄ間の各シールされていない部分で、容易に折り曲げられるようにしている。
【００２２】
おにぎり用包装材Ａは、以下のように図３に示した型材９を利用して箱状に形成される。型材９は、プラスチック、板紙、金属製のもの等とすることができる。まず、おにぎり用包装材Ａを、長尺方向の一端が型材９の正面９ａに接し、他端が型材９の背面９ｃに接するように型材９に沿わせる。おにぎり用包装材Ａは、底部Ａ２となる長尺方向の中央が型材９の底面９ｂの真下に位置するようにする。
【００２３】
そして、型材９の底面９ｂと正面９ａとのなす角、及び型材９の底面９ｂと背面９ｃとのなす角を利用して、おにぎり用包装材Ａに短尺方向（横方向）の折り目を付けることにより、正面側部Ａ１、底部Ａ２、及び背面側部Ａ３を形成する。
【００２４】
さらに、型材９の正面９と左右各側面９ｄ、９ｅとのなす角、型材９の底面９ｂと左右各側面９ｄ、９ｅとのなす角、及び型材９の背面９ｃと左右各側面９ｄ、９ｅとのなす角を利用して、おにぎり用包装材Ａに長尺方向（縦方向）の折り目を付けることにより、左右側部Ａ４，Ａ５を形成する。
【００２５】
左右側部Ａ４，Ａ５は、前記切れ目８ａ〜８ｄによって分割された、正面側部Ａ１に隣接する分割片Ａ４１，Ａ５１、底部Ａ２に隣接する分割片Ａ４２，Ａ５２、及び背面側部Ａ３に隣接する分割片Ａ４３，Ａ５３から構成される。
この実施形態では、まず底部Ａ２に隣接する分割片Ａ４２，Ａ５２を前記短尺方向の折り目で折り曲げ、続いて正面側部Ａ１に隣接する分割片Ａ４１，Ａ５１、背面側部Ａ３に隣接する分割片Ａ４３，Ａ５３を前記長尺方向の折り目で折り曲げ、セロハンテープ１０等で固定するようにしている。各片が互いに重なった箇所を接着してもよい。前記短尺方向、長尺方向の各折り目は、型材９の角を利用して無理なく折り曲げることができるので、シート状食品４の割れを防止することができる。
【００２６】
そして、この型材９に接した箱状のおにぎり用包装材Ａの外側から、別のおにぎり用包装材Ａを重ねて前述と同様に折り曲げて箱状にして、先に箱状にしたおにぎり用包装材Ａを収容した状態にし、さらに別のおにぎり用包装材Ａを同様に箱状にして順次重ねていく。箱状のおにぎり用包装材Ａは、１０枚程度積層されたものとするとよい。型材９はおにぎり用包装材Ａの内側に収容された状態のままとすることができる。
【００２７】
このようにして嵩低く積層されたおにぎり用包装材の積層体は、保管や輸送の際に場所をとらない。また、積層されていない単体のおにぎり用包装材Ａに比べて箱状の形状が損なわれにくく、シート状食品４の割れも防止できる。
【００２８】
このおにぎり用包装材の積層体は、ポリエチレン製等の外袋に収容して保管、輸送することができる。外袋の内部には、おにぎり用包装材Ａの底部付近を正面側から背面側にかけて囲むように折れ目を付けたボール紙製等の型材を入れておき、おにぎり用包装材Ａが保形されるようにするとよい。このようにすれば、さらにシート状食品４の割れを効果的に防止することができる。
おにぎり用包装材Ａは、積層された状態から個別に分離され、その開口部から内部に握り飯が挿入され、正面側部Ａ１及び背面側部Ａ３の互いの上端縁がヒートシール等により接着されることにより、図６に示したようなおにぎり包装体として、コンビニエンスストア等の店舗で販売できる状態となる。この食品包装材を開封するには、まず開封操作片７を指でつまんで引っ張って、外フィルム部１が、その引裂方向に開封操作片７と同一幅で引き裂かれ、中央を境にして左右各部分に分割した状態にする。
【００２９】
そして外フィルム部１の左右各部分をそれぞれ外方に引っ張って分離する。この際、包装体の底部Ａ２の左右端部をつまんで引っ張るとよい。すると、内フィルム部２も左右各片２ａ，２ｂに分離して、握り飯にシート状食品４が付着した状態のおにぎりがあらわれる。
【００３０】
以上がこの発明の好適な実施形態であるが、この考案は上述の実施形態の構成に限定されるものではなく、形状、寸法、材質等を適宜変更して実施することができる。
【符号の説明】
【００３１】
Ａ  おにぎり用包装材
Ａ１  正面側部
Ａ２  底部
Ａ３  背面側部
Ａ４，Ａ５  左右側部
１  外フィルム部
２  内フィルム部
２ａ，２ｂ  左右各片
３  収容部
４  シート状食品
【図１】
0005522607.tif 000002
【図２】
0005522607.tif 000003
【図３】
0005522607.tif 000004
【図４】
0005522607.tif 000005
【図５】
0005522607.tif 000006
【図６】
0005522607.tif 000007